(57)【要約】【課題】周期的に記録タイミングの検出が可能で、戻り光検出が容易な記録レーザー光強度最適化領域（学習領域）を用意にする。【解決手段】リードイン領域、データ領域、リードアウト領域を有し、情報の記録単位として、記録フィールドが定義されており、この記録フィールドは、１つ若しくは複数のデータセグメント３０１と１つのガードエリアで構成され、前記データセグメント３０２は少なくともVFO領域,データ領域，ポストアンブル領域，予約領域，バッファ領域を含み、さらに、前記データ領域とは異なる領域に、記録状態の最適を得るための学習領域が確保されている。【選択図】図４
2006048736.tif 000002
【特許請求の範囲】
【請求項１】
記録フィールドの境界に記録波形の学習領域を設け、かつ該学習領域が前後の記録フィールドの重ね合わせのための領域をかねることを特徴とする光ディスク。
【請求項２】
光ディスクは、記録フィールドの重ね合わせのための領域が設けられ、
前記光ディスクに記録・再生用のレーザ光を照射する光ヘッドと、
前記光ヘッドの再生出力が導かれるとともに、記録用の信号が導入される信号処理回路と、
前記信号処理回路の出力を用いて、記録波形を発生する記録波形発生回路と、
前記記録波形発生回路の出力により前記光ヘッドから照射される前記レーザ光を駆動するLD駆動回路と、
前記再生出力を用いて前記記録フィールドを検出し、前記録フィールドの境界を利用して記録波形の最適化学習を行う手段と
を具備したことを特徴とする光ディスク装置。
【請求項３】
光ディスクは、記録フィールドの重ね合わせのための領域が設けられ、
前記光ディスクに記録・再生用のレーザ光を照射する光ヘッドと、
前記光ヘッドの再生出力が導かれるとともに、記録用の信号が導入される信号処理回路と、
前記信号処理回路の出力を用いて、記録波形を発生する記録波形発生回路と、
前記記録波形発生回路の出力により前記光ヘッドから照射される前記レーザ光を駆動するLD駆動回路と、
前記再生出力を用いて前記記録フィールドを検出し、前記記録フィールドの境界の重ね合わせのための領域で記録条件学習用として前記記録波形としての特殊な符号列を出力する手段と、
を具備したことを特徴とする光ディスク装置。
【請求項４】
光ディスクは、記録フィールドの重ね合わせのための領域が設けられ、
前記光ディスクに記録・再生用のレーザ光を照射する光ヘッドと、
前記光ヘッドの再生出力が導かれるとともに、記録用の信号が導入される信号処理回路と、
前記信号処理回路の出力を用いて、記録波形を発生する記録波形発生回路と、
前記記録波形発生回路の出力により前記光ヘッドから照射される前記レーザ光を駆動するLD駆動回路と、
前記再生出力を用いて前記記録フィールドを検出し、前記記録フィールドの境界の前記記録フィールドの境界の重ね合わせのための領域で記録条件学習用として前記記録波形としての特殊な記録波形を出力する手段と、
を具備したことを特徴とする光ディスク装置。
【請求項５】
リードインエリア、データエリア、リードアウトエリアを有し、情報の記録単位として、記録フィールドが定義されており、この記録フィールドは、１つ若しくは複数のデータセグメントと１つのガードエリアで構成され、前記データセグメントは少なくともVFO領域,データ領域，ポストアンブル領域，予約領域，バッファ領域を含み、さらに、前記データ領域とは異なる領域に、記録状態の最適を得るための学習領域が確保されていることを特徴とする光ディスク。
【請求項６】
光ディスクは、リードインエリア、データエリア、リードアウトエリアを有し、情報の記録単位として、記録フィールドが定義されており、この記録フィールドは、１つ若しくは複数のデータセグメントと１つのガードエリアで構成され、前記データセグメントは少なくともVFO領域,データ領域，ポストアンブル領域，予約領域，バッファ領域を含み、さらに、前記データ領域とは異なる領域に、記録状態の最適を得るための学習領域が確保されており、
光ヘッドを用いて前記光ディスクに記録・再生用のレーザ光を照射し、
信号処理回路は、前記光ヘッドの再生出力を処理するとともに、導入される記録用の信号を処理し、
記録波形発生回路は、前記信号処理回路の出力を用いて、記録波形を発生し、
LD駆動回路化路は、前記記録波形発生回路の出力により前記光ヘッドから照射される前記レーザ光を制御し、
前記再生出力を用いて前記記録フィールドを検出し、前記録フィールドの境界の学習領域を利用して記録パワーの最適化学習を行う
ことを特徴とする光ディスクの記録再生方法。
【請求項７】
光ディスクは、リードインエリア、データエリア、リードアウトエリアを有し、情報の記録単位として、記録フィールドが定義されており、この記録フィールドは、１つ若しくは複数のデータセグメントと１つのガードエリアで構成され、前記データセグメントは少なくともVFO領域,データ領域，ポストアンブル領域，予約領域，バッファ領域を含み、さらに、前記データ領域とは異なる領域に、記録状態の最適を得るための学習領域が確保されており、
光ヘッドを用いて前記光ディスクに記録・再生用のレーザ光を照射し、
信号処理回路は、前記光ヘッドの再生出力を処理するとともに、導入される記録用の信号を処理し、
記録波形発生回路は、前記信号処理回路の出力を用いて、記録波形を発生し、
LD駆動回路化路は、前記記録波形発生回路の出力により前記光ヘッドから照射される前記レーザ光を制御し、
前記再生出力を用いて前記記録フィールドを検出し、前記記録フィールドの境界の学習領域で記録条件学習用として前記記録波形としての特殊な符号列を出力することを特徴とする光ディスクの記録再生方法。
【請求項８】
光ディスクは、リードインエリア、データエリア、リードアウトエリアを有し、情報の記録単位として、記録フィールドが定義されており、この記録フィールドは、１つ若しくは複数のデータセグメントと１つのガードエリアで構成され、前記データセグメントは少なくともVFO領域,データ領域，ポストアンブル領域，予約領域，バッファ領域を含み、さらに、前記データ領域とは異なる領域に、記録状態の最適を得るための学習領域が確保されており、
光ヘッドを用いて前記光ディスクに記録・再生用のレーザ光を照射し、
信号処理回路は、前記光ヘッドの再生出力を処理するとともに、導入される記録用の信号を処理し、
記録波形発生回路は、前記信号処理回路の出力を用いて、記録波形を発生し、
LD駆動回路化路は、前記記録波形発生回路の出力により前記光ヘッドから照射される前記レーザ光を制御し、
前記再生出力を用いて前記記録フィールドを検出し、前記記録フィールドの境界の学習領域で記録条件学習用として前記記録波形としての特殊な記録波形を出力することを特徴とする光ディスクの記録再生方法。
【発明の詳細な説明】
【技術分野】
【０００１】
本発明は、光ディスク及び光ディスク装置に適用されて有効なもので情報記録媒体、情報記録再生方法及び情報記録再生装置に関し、特に光ディスクの記録安定化手法に着目している。
【背景技術】
【０００２】
周知のように近年では、情報の高密度記録が可能な光ディスクとして、片面1層容量が4.7GBを有する光ディスクが実用化されている。例えば、書き換え可能な＋RW(ECMA-337)、DVD-RAM(ECMA-330)、DVD-RW(ECMA-338)、記録が可能なDVD-R等がある。
【０００３】
これらの光ディスクは透明基板上に情報記録層を形成し、レーザー光をこれに集光することで、情報の記録再生を行っている。レーザー光の強度は、再生、記録、消去等の状況に応じて逐次切り替えられる。また、光ディスクには、それぞれ固有に最適な記録時のレーザー強度、消去時のレーザー強度が存在する。このため、光ディスク装置は光ディスクに情報を記録する際に記録レーザー光強度の最適化(OPC:Optimum power control)を行っている。たとえばDVD-Rではユーザー情報等の記録の前には、ディスクに設定されたパワーキャリブレーションエリアで所定のテスト情報を記録再生することでOPCが行われる。さらに、光ディスクは内周と外周で記録特性、すなわち最適な記録レーザー光強度が異なることが多いほか、記録中の周囲温度の変動や集光点のずれなどによっても最適な記録レーザー光強度は変化する。したがって、光ディスク装置はユーザー情報等の記録中には、OPC時に求めたレーザー光強度に対して随時補正を行っている。これはランニングOPCと呼ばれる技術である。特公昭57-60696号公報にはROPCの手法として、以下の方法が記載されている。OPC時にテスト情報を書き込んだ記録光強度と戻り光量変化を対応付けて保持しておき、最適な記録レーザー光強度を求めると同時に、その際の戻り光量を記憶する。ユーザー情報の記録中にはこれを制御の目標値として記録レーザー光の駆動信号を制御する。
【０００４】
【特許文献１】特公昭57-60696号公報
【特許文献２】特開2002-170236
【発明の開示】
【発明が解決しようとする課題】
【０００５】
通常、短いビット長のマークを記録する際に戻り光量を検出するのは困難であるため、戻り光の検出は5T以上の長マークで行われる。特に、同期情報(SYNC)は、長マークが含まれていること、記録のタイミングが検出しやすいことから、ここでランニングOPCが行われることが多い。
【０００６】
しかしながら、同期情報は重要な情報であるため、例えば特開2002-170236に示されるような、ランニングOPCにのみ用いられる特殊な記録波形を用いる方法は記録した同期情報が正確に記録されない可能性があり用いることが難しい。また、DVD-Rのような光ディスクでは同期情報に含まれるのが長マークとは限らず、長スペースの場合があり、周期的に記録レーザー光強度を最適化できないという問題がある。
【０００７】
そこで、本発明は上記の問題を解決するためになされたものであり、周期的に記録タイミングの検出が可能で、戻り光検出が容易な記録レーザー光強度最適化領域を有する情報記録媒体、及び安定した情報の記録が可能な情報記録再生方法、及び情報記録再生装置を提供することを目的とする。
【課題を解決するための手段】
【０００８】
本発明の一面の光ディスクは、記録フィールドの境界に記録波形の学習領域を設け、かつ該学習領域が前後の記録フィールドの重ね合わせのための領域をかねるようにしている。本発明の他の面の光ディスク装置は、記録フィールドの重ね合わせのための境界で、記録波形の最適化学習を行うことができる。またこの発明の他の面の光ディスク装置は、記録フィールドの境界で特殊な符号列を出力する。さらにまたこの発明の他の面の光ディスク装置は、記録フィールドの境界で特殊な記録波形を出力する。
【発明の効果】
【０００９】
上記の手段により、ディスク全面で正確な記録を行うことが可能な、信頼性の高い光ディスクを提供でき、またディスク前面で正確な記録行うことが可能な信頼性の高い光ディスク装置を提供できる。
【発明を実施するための最良の形態】
【００１０】
以下、図面を参照しながら本実施例について説明する。
【００１１】
光ディスクのゾーンレイアウトの説明
図１に本発明の実施例の一つである書き換え、もしくは追記可能な光ディスク１００のゾーンレイアウトの構成を示す。本発明の光ディスク１００の情報記録層は内周側からバーストカッティングエリア（BCA；Burst cutting area）１０１、リードインエリア（Lead-in area）１０２、データエリア（Data area）１０３、リードアウトエリア（Lead-out area）１０４の各領域に分けられている。１０５は、中心に設けられたクランプ孔である。
【００１２】
BCA１０１には予めディスクの固有番号等の情報が記録されている。また、Lead-in area１０２には、コントロールデータ等の情報が記録されているほか、光ディスク１００に情報を記録する際に行う記録状態の最適化を行うための学習領域、欠陥処理のための領域等が設けられている。Lead-out area１０４には、光ディスク１００に情報を記録する際に行う記録状態の最適化を行うための領域、欠陥処理のための領域等が設けられている。
【００１３】
次に、図２にLead-in area１０２の詳しい構成を示す。Lead-in area１０２内のコントロールデータゾーン（control data zone）２０１には媒体メーカの情報や、光ディスクの推奨記録パワーの情報等が記録されている。また、光ディスク装置は、ユーザーデータ等の情報を光ディスクに記録する前に、ドライブテストゾーン（Drive test zone）２０２において記録波形の最適化を行う。記録レーザー光強度の最適化（OPC(Optimum power control)）もその一部である。リードインエリア１０２には、その他、イニシャルゾーン（Initial zone）、バッファーゾーン（Buffer zone）、コネクションゾーン（Connection zone）、ガードトラックゾーン（Guard track zone）、ディスクテストゾーン（Disk test zone）、等が確保されている。
【００１４】
データセグメント／記録フィールド（Data segment/Recording field）の説明
図３において、本発明の光ディスクに情報を書きこむ、または書き換える単位である記録フィールド（recording field）の構成について述べる。本発明の光ディスクに情報を書き込む場合には、この記録フィールド（recording field）単位で行われる。記録フィールド（recording field）３００は一つ、もしくは複数のデータセグメント（Data segment）３０１と一つのガードフィールド（Guard field）３０２で構成されている。
【００１５】
図４（ａ）−図４（ｄ）に本発明の特徴であるデータセグメント（Data segment）の構成を示す。図４(a)のデータセグメント（Data segment）３０１は、バリアブルフルーケンシーオシレータ（VFO）、データ（Data）、ポストアンブル（postamble）、リザーブ（reserve）、バッファー（buffer）の各領域をを含んでいる。VFOは同一のパターンが連続した信号で、記録信号を復調する際の位相ロックループ（PLL）の引き込みなどに使用されるほか、つなぎ記録の際に、Dataが上書きされるのを防ぐ効果を持っている。Dataの領域には、変調されエラー訂正符号が付加されたユーザー情報等の情報が含まれている。また、postambleの領域はDataの終了を検出するのに用いられる。Bufferはつなぎ記録の際に、Dataが上書きされるのを防ぐ効果を持っている。
【００１６】
図４(ｂ)に示すデータセグメント（Data segment）３０１は、Segmentの先頭に学習の領域を含んでいる。これは、連続した情報の記録の最中に記録パワーのずれを補正していく動作や、パルス幅等の記録波形形状のずれを補正していく動作を行うための領域である。この動作はAPC(Auto power control)やROPC(Running-optimum power control)と呼ばれる。APC,ROPCの詳細に関しては後述する。特徴として、この学習領域は接続領域の範囲内に収まっている。接続領域とは、ユーザー情報等が含まれる記録フィールド（recording field）をつなぎ記録もしくは書き換えした場合に、重ねがきされる可能性がある領域である。他の領域は、先の図４（a）の例と同じである。
【００１７】
図４(c)に示すデータセグメント（Data segment）３０１は、Segmentの先頭にVFO１の領域を持ち、その次に学習領域を有し、また次にVFO２の領域を有する。また、この学習領域は接続領域の範囲内に収まっている。他の領域は、先の図４（ａ）と、図４（ｂ）の場合と同じである。
【００１８】
図４(d)に示すデータセグメント（Data segment）３０１は、Segmentの最後に学習領域を含んでいる。また、この学習領域は接続領域の範囲内に収まっている。他の領域は、先の図４（ａ）の場合と同じである。
【００１９】
接続領域の説明（記録）
図５には、本発明の実施例の一つに係わる光ディスクに対して、記録フィールド（recording field）単位で光ディスクに情報を記録するときの記録位置と、つなぎ記録を行った場合のrecording fieldの重なり長を示す。
【００２０】
本発明の光ディスクにはディスク上の物理的な位置を特定するための物理アドレスが予め記録されている。情報の書き換え位置の基準点は、物理アドレスの切り替わり位置を元に定められる。本発明の光ディスクでは、物理アドレス情報を保護するために、物理アドレスの切り替わり位置から一定長はなれた部分に書き換え位置の基準点が設けられている。
【００２１】
また、recording fieldの記録開始位置は、この基準点から毎回いくらかシフトしたところに設定される。これは、recording fieldの重ね書きをする際に、毎回同じところに重ね書きを行うと、記録媒体の劣化が早まり、書き換え回数が低下するので、これを防ぐために行われている。このシフト量は記録の度に、ランダムに決定される。
【００２２】
さらに、光ディスク装置の書き換え位置基準点検出の誤差により、±1バイト程度実際の記録位置はずれる。従って、例えばランダムに決定されるシフト量を最大１４バイトとすると、記録開始位置は、書き換え基準位置に対して−１バイトから＋１５バイトの範囲で変化することになる。この結果、recording fieldの記録を行った場合には、前のrecording fieldのguardもしくは、次のrecording fieldのVFOの一部に上書きをすることになる。
【００２３】
例えば、VFOの幅を71バイト、Bufferの幅を16バイト、Guardの幅を24バイトとすると元から記録されているData segment１の記録開始位置が書き換え基準位置+15バイトで、次に記録するData segment２の記録開始位置が書き換え基準位置-1バイトであると、Data segment１のBufferは、Data segment２のVFOに完全に上書きされる形となる。一方、ここにもう一度Data segment１を上書きした場合に、記録開始位置を書き換え基準位置の+15バイトとすると、Data segment２のVFOの一部はData segment１のBufferとこれに付随するGuardで上書きされる。このとき、Data segment２のVFOは40バイトが上書きされ、31バイト残ることになる。このように、Data segmentの先頭の40バイト、もしくは最終の16バイトは上書きされてしまう可能性があるため、重要なデータは記録できず、データの再生時には意味を持たない領域となる。
【００２４】
ここで、図６（ａ）、図６（ｂ）に、記録されたマークと再生信号及び、再生信号から抽出されたクロックの模式図を示す。図６（ａ）、図６（ｂ）では、データセグメントの繋ぎの近傍と、記録マークと、再生信号と、クロックを示している。Data segmentが連続的に記録されいる場合、Data segmentの切り変わり目においても、Bufferから次のData segmentのVFOで連続的に信号が配置される。従って、再生される再生信号及び、その信号から抽出される再生クロックの位相は切り替わり目においても連続する。これに対し、Recording fieldの重ね書きが行われた場合、元から記録されていたData segment1と新たに記録したData segment2の間で、再生信号及びその信号から抽出される再生クロックの位相がずれることになる。
【００２５】
接続領域の説明（再生）
次に、接続領域部分での再生動作について説明を行う。記録された信号の位相は図６（ｂ）に示すように、Data segmentの切り替わり目で、変化する可能性がある。従って、光ディスク装置は記録された信号を再生する際、Data segment毎に位相の再引き込み動作を行う機能を有し、さらにこの機能はVFOの後半31バイトの情報を利用して位相の再引き込みを行う。
【００２６】
光ディスク装置の基本的な説明
図７に本発明の実施例の一つである光ディスク装置の構成を示す。本発明の光ディスク装置はピックアップヘッド（PUH）７０１から出射されるレーザー光を光ディスク１００の情報記録層に集光することで、情報の記録再生を行っている。ディスクから反射した光は、再び、PUH７０１の光学系を通過し、フォトディテクター(PD)で電気信号として検出する。
【００２７】
検出された電気信号は、プリアンプ７０２で増幅され、サーボ回路、RF信号処理回路、アドレス信号処理回路等を含む信号処理回路７０３に出力される。
【００２８】
サーボ回路では、フォーカス、トラッキング、チルト等のサーボ信号が生成され、各信号がそれぞれ、PUHのフォーカス、トラッキング、チルトアクチュエータに出力される。
【００２９】
RF信号処理回路では、検出された信号のうち、主に和信号を処理することにより、記録されたユーザー情報等の情報を再生する。この際の復調方法としては、スライス方式やPRML方式がある。
【００３０】
アドレス信号処理回路では、検出された信号を処理することにより、光ディスク上の記録位置を示す、物理アドレス情報を読み出し、コントローラー７０４に出力する。コントローラー７０４はこのアドレス情報を元に、所望の位置のユーザー情報等の情報を読み出したり、所望の位置にユーザー情報等の情報を記録したりする。この際、ユーザー情報は記録信号処理回路で光ディスク記録に適したデータに変調される。このとき、データの変調は例えば(2,10)RLL変調、(1,7)RLL変調といった変調方式が用いられる。(1,10)RLL変調では、データの変調に用いられた最も短い符号は2T、最も長い符号は11Tとなる。さらに、記録波形発生回路７０５では、入力された符号を元に、LD駆動回路７０６を制御し、レーザー発光波形を制御するための信号を生成し、光ディスクに情報の記録を行う。７０７は、記憶装置であり、プログラムなどを記憶している。また図示していないが、信号処理回路７０３には、外部からの記録信号を導入することもできるし、またこの信号処理回路７０３から再生信号を出力することもできる。
【００３１】
さらに、本発明の光ディスク装置は、２つの記録波形を保持、発生できる機能を有している。通常のデータを記録する際には、第一記録波形発生回路を通して第一の記録波形でLDを駆動し、前述のData segmentの学習領域部分を記録する際には、第二記録発生回路を通して第二の記録波形でLDを駆動する。
【００３２】
図８には、第一記録波形発生回路７１１、第二記録発生回路７２２を示している。他の部分は、図７の構成と同じであるから、図７の各ブロックと同一符号を付している。
【００３３】
また、本光ディスク装置は図９に示すように、PUH７０１から出力される信号として、LDから放射された光を直接フォトダイオード（フロントモニタPD）で検出したフロントモニタ信号と、一度光ディスクに照射された光の反射光をフォトダイオード（戻り光検出PD）９０２で検出した戻り光検出信号の2つの信号を有する。
【００３４】
通常戻り光検出信号は、光ディスクの有する情報の再生、サーボ信号の取得、ROPCのための信号の取得に用いられる。また、フロントモニタ信号は自動パワー制御（APC：Auto power control）のための信号として用いられる。
【００３５】
OPCの基本的な説明
次に、Optimum power calibration (OPC)と呼ばれる記録パワー最適化の学習について説明を行う。光ディスク装置に光ディスクが挿入されると、光ディスク装置はBCAもしくは、Lead-inの管理情報の確認を行い、ディスクの判別、現在の記録状態等の把握を行う。次に、ユーザーデータの記録を行う前に、Lead-inやディスクの内周側に用意されている記録状態の最適化を行うためのDrive test zoneにおいて、記録波形の最適化を行う。これがOPCと呼ばれる動作である。
【００３６】
この動作は例えば、テスト用のデータを各セクタ毎に、記録パワーを少しずつ変化させて記録し、その再生信号から各セクターのエラー数等を評価して最もエラー数の少ないセクターを記録した時の記録パワーを最適記録パワーとして採用する。というような動作である。続いて、Data areaにユーザー情報等を記録する際にはこの最適記録パワーが用いられる。
【００３７】
ROPCの基本的な説明
だだし、光ディスクの記録特性はディスク全面で均一ではなく、ディスクの複屈折や、媒体の記録特性のむら、ディスクのチルト等の影響によって、ディスクの各部分で異なる。従って、内周の学習領域で最適化された記録パワーが、ディスクの中周や、外周でも最適とは限らない。そこで、光ディスク装置は、ユーザー情報等の記録の際には、ディスクの各部分で記録パワーの微調整を行う。これはランニングオプティウムパワーコントロール（Running Optimum power control (ROPC)）という動作である。一般に、ROPCは光ディスクにマークを記録している最中の、光ディスクからの戻り光を観測することで行われる。
【００３８】
図１０にマークの記録波形と、記録している最中の戻り光の模式図を示す。(a)は記録するデータパターン、(b)はLDの発光波形、(c)は形成されたマークの形状、(d)は信号記録中の戻り光検出PDで検出された信号、(e)は(d)の信号をフィルターに通した信号である。(f)は(a)の立上り、立下りタイミングを元に生成されたサンプリング用タイミング信号である。図に示すように光ディスクの情報記録層は記録パワーが照射されることによって、変質し、記録マークとなる。
【００３９】
このとき、図１０(d)に見られるように、記録パワーを投入した瞬間は、変質の過渡状態にあるため、戻り光のレベルは安定しないが、過渡状態を過ぎると戻り光のレベルは安定する。このとき、媒体の特性が記録マークの反射率がそれ以外の領域よりも低くなるハイ・ツー・ロー（High to low）特性である場合には、安定状態の戻り光レベルが内周の学習領域で学習した結果に比べ、低くなれば形成されているマークが最適値に比べ大きくなっていることを示し、高くなればマークが小さくなっていることを示す。この変化は、たとえば図１０(e)に示すような戻り光にバンドパス、もしくはローパスフィルタを掛けた信号を記録のタイミングに合わせて生成されたタイミング信号（図１０(f)）に合わせてサンプリングすることで検出が可能となる。検出した結果が前に検出した結果に比べて低くなっていれば、マークが大きくなると予想されるため、記録パワーを下げるように、高くなっていればマークが小さくなったと予想されるため、記録パワーを上げるように制御すればよい。
【００４０】
記録中に媒体の特性が、記録マークの反射率がそれ以外の領域よりも高くなるロー・ツー・ハイ（low to High ）媒体である場合には、信号の極性は逆となり、検出した結果が前に検出した結果に比べて低くなっていれば、マークが小さくなると予想されるため、記録パワーをあげるようにし、高くなっていれば記録パワーを下げるようにする。
【００４１】
このように、ROPCの為には安定した戻り光を得る必要があるので、戻り光の検出は、戻り光が安定した範囲が広くなる例えば8T以上のような長い符号を記録するタイミングにあわせて行う必要がある。
【００４２】
ROPC領域の記録パターン
従って、ROPCにおける戻り光のサンプリングはシンクデータやユーザーデータ等のうち、長い記録マークを記録する部分に限定して行われる。
【００４３】
また、本発明の光ディスク装置は、Data segmentの一部に学習領域を有しているが、ここで使用される学習用の特殊な記録パターンには例えば8T以上の長さを持つ符号を含むようにするすると良い。Tは、基準クロックの1周期である。
【００４４】
図１１には、学習領域に記録する記録パターンの実施例を示す。例えば、学習領域を24バイトとする。8-12変調を用いている場合、これは288チャネルビット(=96×3)（図１１（a）、図１１（ｂ））に相当する。ここで、例えば特殊な記録パターンとして、10チャネルビットのマーク,6チャネルビットのスペース,2チャネルビットのマーク,6チャネルビットのスペースが連続するパターンを用いる（図１１（ｃ））。このパターンは、マークとスペースのチャネルビットの合計が等しいため、DSV（Degital sum value）が0となり、信号の処理に有利である。また、長いマークを含んでいるために、安定した学習動作を行うことが可能となる。このほかにも10チャネルビット、10チャネルビット、4チャネルビットの連続する符号を用いることも考えられる（図１１（ｄ））。このパターンは奇数個の符号から構成されているため、毎回マークとスペースの関係が逆転することになり、結果としてDSVを0にすることができる。
【００４５】
一方、再生信号との同期を考えた場合には、特殊なパターンを用いないで、隣接するVFO部分と同じパターン、例えば4チャネルビットのマークと4チャネルビットのスペースの繰り返しのパターンを記録しても良い（図１１（ｅ））。
【００４６】
ROPC領域で使用する発光波形
次に、学習領域で用いられる特殊な記録波形について説明を行う。図１２に通常のデータを記録する記録波形を示す。図１２（ａ）は基準クロック、図１２（ｂ）はNRZI波形、図１２（ｃ）は記録波形を示す。
【００４７】
また、図１３に学習領域で用いられる特殊な記録波形を示す。図１３の（A）は通常のデータを記録する記録波形と同じである。ただし、この領域では記録するマークの品質が多少劣化してもかまわないため、パワーコントロールのゲインを高める、すなわち戻り光の変化に対する記録パワーの補正値変更ステップを大きく取って調整を行うなどの処理が可能となる。また、通常Running OPC中には記録パワーを変更しても、パルス幅の変更は行わないが、この領域に限って、パルス幅を変更し、結果が良くなった場合のみ、引き続き記録するデータの記録波形として採用することが可能となる。
【００４８】
また、図１３(B)及び図１３(C)に学習領域で使用する特殊な記録波形の例を示す。通常のデータを記録する記録波形は、記録したマークの品質を高めるために、複数のパルスに細かく分割されており、さらに、先頭や最後のパルスの幅がデータに合わせて変更されている特長を持っている。この記録波形でレーザダイオード（LD）を発光した際の戻り光は
図１０（d）に示すように、分割されたパルスとなる。したがって、戻り光の平均レベルを知るためには、低域通過フィルタ（LPF）を通す必要がある。しかしながら細いパルスの場合、実際にはレーザーの立ち上がりや受光系、プリアンプ等の帯域の影響を受けて戻り光のレベルが変化するといった問題が生じる。しかし本発明のように、図１３（B）及び図１３（C）に示す波形では、記録波形中のパルス分割数を減らし、一定のパワーが出力される範囲を広げているため、安定して戻り光を取得することが可能となる。ただし、このような特殊な波形をRunning OPCに使用するためには、OPC実行時に通常の記録波形の最適化後、同条件の記録パワーを用いて特殊な波形でも記録を行い、このときの戻り光レベルを観測してこれを基準とする必要がある。
【００４９】
フローチャートの説明
図１４には、本発明に係る装置において、ディスクの挿入から記録終了までのディスク装置の動作をフローチャートで示す。
【００５０】
本発明の光ディスク装置は、ディスクが挿入されてホストからデータの記録が指示された場合、まず光ディスクの内周側、もしくは外周側に設けられた学習領域でデータを記録するための第一の記録波形の最適化と、ROPCもしくはAPCのための第二の記録波形の最適化と最適な波形を出力した場合の戻り光レベル等の必要情報の取得を行う（S1-S2）。
【００５１】
次に、学習の結果から第一の記録波形を最適な形状に設定し（S3）、ホストから指示のあったデータの記録を開始する（S4）。
【００５２】
データの記録中、接続領域の一部に設けられた学習領域をビームが通過した場合には（S5）、記録波形を予め最適化されている第二の記録波形に切り替える（S6）。
【００５３】
次に、第二の記録波形を出射した際の戻り光等のサンプリングを行い（S7）、この結果をはじめにディスクの内周側、もしくは外周側に設けられた学習領域で取得したデータと比較する（S8）。
【００５４】
この比較結果が異なっていた場合、光ディスク装置はこれを補正するように第二の記録波形を再設定し、再び、戻り光等のサンプリングを行う（S6,S7）。
【００５５】
比較結果が一致した場合には、そのときの第二の記録波形を最適な結果として、同様の変更を第一の記録波形に対して行う（S9）。また、比較結果が一致する前に、接続領域が終了した場合には、従来の第一の記録波形の値を引き続き使用する（S10）。ただし、この際第二の記録波形は変更した値を保持しておき、次に接続領域が来た場合にはここから最適化を再開する。
【００５６】
接続領域が終了したら、続いて最適化された第一の記録波形でデータの記録を行う。記録するデータが終了したら記録を完了する(S11)。
【００５７】
これまで、学習領域で主にRunning OPCを実行することを主眼に説明を行ったが、学習領域をAPCのために利用することも可能である。例えば、APCのためには図９に示すように常にLDの出力の一部をフロントモニタ用PDで観測し、目標のパワーが出力されるようにLDをコントロールするが、図１２のような細いパルスをもつ記録波形の場合、モニターの帯域が低いと観測波形がなまって、見かけ上出射パワーが低く観測されるという問題がる。このような場合には例えば図１３(B)や図１３（C）の波形を用いてこの間にパワーコントロールをするのが効果的である。また、パワーコントロールの切り替えステップが比較的大きい光ディスク装置の場合、この学習領域の間に切り替えを行うようにすれば、データの再生に与える影響を抑えることが可能となる。
【図面の簡単な説明】
【００５８】
【図１】本発明の実施例の一つである書き換え、もしくは追記可能な光ディスク１００のゾーンレイアウトの構成例を示す図。
【図２】リードインエリア（Lead-in area）１０２の構成例を示す図。
【図３】本発明の光ディスクに情報を書きこむまたは書き換える単位である記録フィールド（recording field）の構成例を示す図。
【図４】本発明の特徴であるデータセグメント（Data segment）の構成例を示す図。
【図５】本発明の実施例の一つに係わる光ディスクに対して、記録フィールド（recording field）単位で光ディスクに情報を記録するときの記録位置とつなぎ記録を行った場合のrecording fieldの重なり長を示す説明図。
【図６】記録されたマークと再生信号及び再生信号から抽出されたクロックの模式図。
【図７】本発明の実施例の一つである光ディスク装置の構成例を示す図。
【図８】本発明の他の実施例である光ディスク装置の構成例を示す図。
【図９】本発明の更に他の実施例である光ディスク装置の構成例を示す図。
【図１０】本発明装置により光ディスクに記録されるマークの記録波形と記録している最中の戻り光の様子を示す模式図。
【図１１】本発明に係る学習領域に記録する記録パターンの例を示す説明図。
【図１２】光ディスクに対して通常のデータを記録する際の記録波形の例を示す説明図。
【図１３】本発明に係る学習領域で用いられる特殊な記録波形の例を示す図。
【図１４】本発明に係る装置において、ディスクの挿入から記録終了までのディスク装置の動作を示すフローチャート。
【符号の説明】
【００５９】
１００…光ディスク、１０２…リードインエリア（Lead-in area）、１０３…データエリア（Data area）、１０４…リードアウトエリア（Lead-out area）、３００…記録フィールド（recording field）、３０１…データセグメント（Data segment）、７０１…ピックアップヘッド（PUH）、７０２…プリアンプ、７０３…信号処理回路、７０４…コントローラ、７０５…記録波形発生回路、７０６…LD駆動回路、７０７…記憶装置、７１１…第一記録波形回路、７１２…第二記録波形回路。
【図１】
2006048736.tif 000003
【図２】
2006048736.tif 000004
【図３】
2006048736.tif 000005
【図４】
2006048736.tif 000006
【図５】
2006048736.tif 000007
【図６】
2006048736.tif 000008
【図７】
2006048736.tif 000009
【図８】
2006048736.tif 000010
【図９】
2006048736.tif 000011
【図１０】
2006048736.tif 000012
【図１１】
2006048736.tif 000013
【図１２】
2006048736.tif 000014
【図１３】
2006048736.tif 000015
【図１４】
2006048736.tif 000016